(57)【要約】【課題】本発明の課題は、光源装置で発生した熱の点灯装置への影響を低減できる光源ユニット、及び、照明器具を提供することである。【解決手段】光源ユニット２は、光源である２つのＬＥＤモジュール２０と、２つのＬＥＤモジュール２０を点灯させる点灯回路を構成する電源ユニット２４及び機能ユニット２５とを備える。また、光源ユニット２は、厚み方向の一面に２つのＬＥＤモジュール２０が取り付けられる取付板２２０と、取付板２２０から取付板２２０の厚み方向に交差する方向へ突出する突出板２７と、を備える。点灯回路の少なくとも一部（電源ユニット２４）は、突出板２７に取り付けられる。【選択図】図２
2018206681.tif 000002
【特許請求の範囲】
【請求項１】
光源と、
前記光源を点灯させる点灯回路と、
厚み方向の一面に前記光源が取り付けられる取付板と、
前記取付板から前記取付板の厚み方向に交差する方向へ突出する突出板と、
を備え、
前記点灯回路の少なくとも一部は、前記突出板に取り付けられる、
光源ユニット。
【請求項２】
前記光源と前記点灯回路の前記少なくとも一部とは前記取付板に対して互いに反対側に位置する、
請求項１の光源ユニット。
【請求項３】
前記取付板と前記突出板は別体であり、
前記突出板は前記取付板に固定される、
請求項１又は２の光源ユニット。
【請求項４】
前記点灯回路の前記少なくとも一部は、前記光源に電力を供給する電源ユニットである、
請求項１〜３のいずれか一つの光源ユニット。
【請求項５】
前記点灯回路の前記少なくとも一部は、前記取付板の前記厚み方向に直交する平面内において、前記突出板において前記取付板とは反対側に突出しない、
請求項１〜４のいずれか一つの光源ユニット。
【請求項６】
前記光源は、前記取付板の前記厚み方向に直交する平面内において、前記取付板の内側に位置する、
請求項１〜５のいずれか一つの光源ユニット。
【請求項７】
請求項１〜６のいずれか一つの光源ユニットと、
前記光源ユニットを支持する器具本体と、
を備える、
照明器具。
【請求項８】
前記光源ユニットは、更に、前記取付板から前記突出板とは反対の方向へ突出する取付具を備え、
前記器具本体は、前記光源ユニットを前記光源が露出するように収容する凹部と、前記凹部を挟んで対向する一対の側壁と、を有し、
前記一対の側壁の一方は前記突出板の前記少なくとも一部を通す第１取付孔を有し、他方は前記取付具を通す第２取付孔を有し、
前記器具本体は、前記光源ユニットの前記突出板及び前記取付具が前記第１取付孔及び前記第２取付孔にそれぞれ挿通された状態で前記光源ユニットを支持する、
請求項７の照明器具。
【請求項９】
前記突出板は、
前記点灯回路の前記少なくとも一部が取り付けられ前記第１取付孔を通れる大きさの平板部と、
前記平板部における前記取付板とは反対側の端に設けられ前記第１取付孔を通れない大きさの係止部と、
を有する、
請求項８の照明器具。
【請求項１０】
前記器具本体は、箱状であり、一面に前記凹部を有し、
前記点灯回路の前記少なくとも一部は前記突出板が前記第１取付孔に挿通された状態で前記器具本体内に収容される、
請求項８又は９の照明器具。
【発明の詳細な説明】
【技術分野】
【０００１】
本発明は、光源ユニット及び照明器具に関する。より詳細には、本発明は、光源及び光源を点灯させる点灯回路を備える光源ユニットと、当該光源ユニット及び当該光源ユニットを支持する器具本体を備える照明器具に関する。
【背景技術】
【０００２】
特許文献１は、照明器具を開示する。この照明器具は、天井に取り付けられた器具本体と、器具本体の下部に着脱自在に設けられる発光体ユニット（光源ユニット）と、を備える。発光体ユニットは、例えば鉄板の長手方向側面の両辺を曲げて略コの字断面をした発光体ベースと、発光体ベースの下面に沿って設けられた発光体基板と、発光体基板に電気的に接続された発光体基板の下面側に設けられた例えばＬＥＤである発光体素子を備える。発光体ベースの上面側には発光体基板と電気的に接続された電源装置が設けられている。電源装置から延伸されたケーブルの一端にはコネクタが設けられ、天井から器具本体通して下方に延伸されたケーブルの一端に設けられたコネクタと一対をなして互いに接続可能である。コネクタを接続すれば電源装置に通電して発光体基板を介して発光体素子を発光できる。
【先行技術文献】
【特許文献】
【０００３】
【特許文献１】特開２０１５−１１５２４３号公報
【発明の概要】
【発明が解決しようとする課題】
【０００４】
特許文献１では、発光体素子（光源）が発光体ベースの下面にあり、光源を点灯させる点灯回路を構成する電源装置が発光体ベースの上面にある。つまり、電源装置と発光体素子とが発光体ベースを間に挟んで対向している。そのため、発光体素子で発生した熱が発光体ベースを介して電源装置に伝わり易く、電源装置が発光体素子で発生した熱の影響を受け易い。
【０００５】
本発明の課題は、光源で発生した熱の点灯回路への影響を低減できる光源ユニット、及び、照明器具を提供することである。
【課題を解決するための手段】
【０００６】
本発明に係る一態様の光源ユニットは、光源と、前記光源を点灯させる点灯回路と、厚み方向の一面に前記光源が取り付けられる取付板と、前記取付板から前記取付板の厚み方向に交差する方向へ突出する突出板と、を備える。前記点灯回路の少なくとも一部は、前記突出板に取り付けられる。
【０００７】
本発明に係る一態様の照明器具は、上記光源ユニットと、上記光源ユニットを支持する器具本体と、を備える。
【発明の効果】
【０００８】
上記態様の光源ユニット及び照明器具は、光源で発生した熱の点灯回路への影響を低減できるという効果がある。
【図面の簡単な説明】
【０００９】
【図１】図１は、一実施形態の照明器具の下方斜視図である。
【図２】図２Ａは、上記照明器具の光源ユニットの上方斜視図、図２Ｂは上記光源ユニットの下方斜視図である。
【図３】図３は、上記光源ユニットの上面図である。
【図４】図４は、上記光源ユニットの下面図である。
【図５】図５Ａは、上記照明器具の器具本体の上方斜視図、図５Ｂは上記器具本体の下方斜視図である。
【図６】図６は、上記器具本体の下面図である。
【図７】図７は、図６のＸ−Ｘ線断面図である。
【図８】図８は、上記光源ユニットが上記器具本体に仮吊りされている様子を示す図である。
【図９】図９は、仮吊り時の上記光源ユニットと上記器具本体との結合部分の拡大図である。
【図１０】図１０は、上記照明器具の一部を省略した上方斜視図である。
【図１１】図１１は、上記照明器具の断面図である。
【発明を実施するための形態】
【００１０】
１．実施形態
１．１  概要
一実施形態では、図１に示すように、照明器具１は、光源ユニット２と、光源ユニット２を支持する器具本体１０と、を備えている。光源ユニット２は、図２Ｂ及び図４に示すように、２つのＬＥＤ（Light Emitting Diode）モジュール２０を有し、２つのＬＥＤモジュール２０が光源を構成する。また、光源ユニット２は、図２Ａに示すように、電源ユニット２４及び機能ユニット２５を有し、電源ユニット２４及び機能ユニット２５が光源（ＬＥＤモジュール２０）を点灯させる点灯回路を構成する。光源ユニット２は、更に、取付板２２０及び突出板２７を有しており、突出板２７は、取付板２２０から取付板２２０の厚み方向に交差する方向へ突出する。図２Ｂに示すように、２つのＬＥＤモジュール２０は、取付板２２０の厚み方向の一面（図２Ｂでは下面）に取り付けられている。一方で、点灯回路に関しては、図３に示すように、機能ユニット２５は取付板２２０に取り付けられているが、電源ユニット２４は突出板２７に取り付けられている。つまり、点灯回路の少なくとも一部（電源ユニット２４）は、取付板２２０ではなく突出板２７に取り付けられている。そのため、光源ユニット２では、光源（ＬＥＤモジュール２０）で発生した熱の点灯回路への影響を低減できる。この利点は、光源ユニット２を備える照明器具１においても同様である。
【００１１】
１．２  構成
以下、照明器具１について、詳細に説明する。ここで、照明器具１は、造営材（例えば天井）に設置される照明器具である。なお、照明器具１は、造営材に直付けされてもよいし、造営材に埋込まれる形で設置されてもよい。
【００１２】
照明器具１は、図１に示すように、光源ユニット２と、光源ユニット２を支持する器具本体１０とを備えている。
【００１３】
光源ユニット２は、図２Ａ、図２Ｂ、図３、及び図４に示すように、２つのＬＥＤモジュール２０と、透光カバー２１と、取付部材２２と、ユニットカバー２３と、電源ユニット２４と、機能ユニット２５と、取付ばね２６と、突出板２７と、を備えている。ただし、以下の説明では、特に断りのない限り、図２Ａ及び図２Ｂにおける上下方向、前後方向及び左右方向を光源ユニット２の上下方向、前後方向及び左右方向と規定する。
【００１４】
取付部材２２は、正方形の取付板２２０と、取付板２２０の４つの辺からそれぞれ下向きに突出する４つの側板２２１とを有している（図２Ａ及び図２Ｂ参照）。取付板２２０と４つの側板２２１とは、亜鉛鋼板などの金属板が曲げ加工されて一体に形成されている。４つの側板２２１の各々は、細長い台形状に形成されている。
【００１５】
２つのＬＥＤモジュール２０の各々は、長方形状の実装基板２０１の実装面（下面）に多数のＬＥＤ２００を実装して構成されている（図４参照）。各ＬＥＤ２００は、白色光を放射する照明用白色ＬＥＤである。もちろん、各ＬＥＤ２００は、照明用白色ＬＥＤ以外であってもよい。これら複数のＬＥＤ２００は、実装基板２０１の実装面に格子状に配置され、実装面に形成されている配線導体（銅はく）を介して互いに電気的に接続されている。また、各実装基板２０１の実装面には、配線導体を介して各ＬＥＤ２００と電気的に接続されたレセプタクルコネクタ２０２が実装されている。レセプタクルコネクタ２０２は、電源ユニット２４の出力線に結線されたプラグコネクタと抜き差し可能に接続される。２つのＬＥＤモジュール２０は、取付板２２０の下面に、左右方向に間隔を空けて並ぶようにして、ねじ止めにより取り付けられる（図４参照）。
【００１６】
上述したように、光源ユニット２では、電源ユニット２４と機能ユニット２５とが、光源（２つのＬＥＤモジュール２０）を点灯させる点灯回路を構成する。
【００１７】
電源ユニット２４は、光源（２つのＬＥＤモジュール２０）に電力を供給するように構成される。より詳細には、電源ユニット２４は、外部電源（例えば商用交流電源）から得た電力により光源（２つのＬＥＤモジュール２０）を点灯させる機能を有する。また、電源ユニット２４は、機能ユニット２５からの制御信号に応じて、光源（２つのＬＥＤモジュール２０）の光出力を調整する機能を有する。具体的には、電源ユニット２４は、プリント配線板２４１に電子部品が実装されて構成された電源回路と、この電源回路を収容するケース２４０とを有している（図３参照）。電源回路は、入力コネクタ２４２、整流器、力率改善回路、降圧型のＤＣ／ＤＣコンバータ、出力コネクタ２４３、制御用コネクタなどを備える。入力コネクタ２４２は、後述する第１端子台１４を介して電源線１４０と電気的に接続される。電源回路は、入力コネクタ２４２から入力する交流電力を直流電力に変換した後、変換後の直流電力を出力コネクタ２４３から電線（出力線）を介して出力する。直流電力は、出力線の先端に結線されたプラグコネクタ及びレセプタクルコネクタ２０２を介して各ＬＥＤモジュール２０の各ＬＥＤ２００に供給される。また、電源回路は、機能ユニット２５から制御用コネクタに入力される制御信号に応じて、出力コネクタ２４３から出力する直流電力を増減し、ＬＥＤモジュール２０の光出力を調整（調光）するように構成されている。
【００１８】
プリント配線板２４１は、長尺の矩形平板状の絶縁基板の部品面に配線導体（銅はく）が形成されている。プリント配線板２４１の表面に、入力コネクタ２４２、出力コネクタ２４３、制御用コネクタ、平滑コンデンサ、チョークコイルなどの、いわゆるリード部品が実装される。そして、プリント配線板２４１のはんだ面に電源回路を構成している電子部品のうちの表面実装部品が実装される。ただし、入力コネクタ２４２及び制御用コネクタは、プリント配線板２４１の長手方向の一端に実装され、出力コネクタ２４３は、プリント配線板２４１の長手方向の他端に実装されている。ケース２４０は、図２Ａ及び図３に示すように、金属製の板材によって長尺の箱状に形成されている。ケース２４０は、入力コネクタ２４２及び出力コネクタ２４３を露出するようにしてプリント配線板２４１を内部に収容している。
【００１９】
機能ユニット２５は、プリント回路と、プリント回路を収納するハウジング２５０とを有する（図３参照）。プリント回路は、入力端子台２５１を有する。入力端子台２５１は、後述する第２端子台１５から引き出された信号線１５０と電気的に接続される。プリント回路は、例えば、信号線１５０を介して入力端子台２５１に入力される制御信号を、電源ユニット２４に対応した制御信号に変換するように構成される。ただし、機能ユニットは、電波を媒体とする制御信号（無線信号）を電気信号に変換するように構成されてもよい。
【００２０】
透光カバー２１は、図２Ａ、図２Ｂ、図３、及び図４に示すように、正方形状の底部２１０と、底部２１０の周縁から上向きに立ち上がる周壁部２１１と、周壁部２１１の上端に設けられた４つの爪部２１２とを有している。底部２１０と周壁部２１１と４つの爪部２１２は、アクリル樹脂やポリカーボネート樹脂などの透光性を有する合成樹脂材料によって一体に形成される。また、少なくとも底部２１０及び周壁部２１１は、その表面にシボ加工が施されることによって光を拡散するように構成される。あるいは、少なくとも底部２１０及び周壁部２１１は、合成樹脂材料に拡散剤が混入されることによって光を拡散するように構成されてもよい。各爪部２１２は鈎形に形成されて周壁部２１１の上端における長手方向（前後方向又は左右方向）の中央から上向きに突出している。
【００２１】
透光カバー２１は、取付部材２２の４つの側板２２１で囲まれた領域内に周壁部２１１を収めるようにして取付部材２２に取り付けられる（図４参照）。ここで、取付部材２２の取付板２２０において、透光カバー２１の４つの爪部２１２と対応する位置、すなわち、取付板２２０の４つの辺における長手方向の中央に貫通孔が１つずつ設けられている。各爪部２１２は、取付板２２０の下から上に向かって対応する貫通孔に挿通され、取付板２２０の上面における貫通孔の縁に引っ掛かる（図２Ａ及び図２Ｂ参照）。その結果、透光カバー２１は、側板２２１の内側に周壁部２１１を収めるようにして取付部材２２の取付板２２０に取り付けられる。
【００２２】
取付ばね２６は、光源ユニット２を器具本体１０に取り付けるために使用される取付具である。取付ばね２６は、コイル部２６０と、２本の腕部と、端末部２６３とを有するねじりコイルばねで構成されている。２本の腕部のうちで長い方の腕部を第１腕部２６１と呼び、短い方の腕部を第２腕部と呼ぶ。第１腕部２６１は、引掛片２６４と、第１腕片２６５と、第２腕片２６６とを有している。第１腕片２６５は、コイル部２６０の端末からコイル部２６０の径方向（図３の左方向）に突出している。ただし、第１腕片２６５の長手方向における複数箇所（例えば、２箇所）が同じ向き（下向き）に曲げられている（図２Ａ参照）。引掛片２６４は、左右方向から見てＵ字状に形成され、長手方向の一端で第１腕片２６５の先端とつながり、長手方向の他端で第２腕片２６６の先端とつながっている（図３参照）。第２腕片２６６の後端は、端末部２６３とつながっている。ただし、第２腕片２６６の長手方向における複数箇所（例えば、２箇所）が同じ向き（下向き）に曲げられている。端末部２６３は、第２腕片２６６の後端から引掛片２６４とほぼ平行に突出している。第２腕部は、コイル部２６０の端末から第１腕部２６１とは反対の方向（図３の右方向）に突出している。図３では、第２腕部は、ユニットカバー２３で隠れている。
【００２３】
ユニットカバー２３は、図２Ａ及び図３に示すように、平坦部２３０と、湾曲部２３１と、３つの第１取付部２３２と、第２取付部２３５とを有している。なお、平坦部２３０と、湾曲部２３１と、３つの第１取付部２３２と、第２取付部２３５とは、亜鉛鋼板などの金属板によって一体に構成されている。
【００２４】
平坦部２３０は、平板状に形成されている。平坦部２３０の後端（図３における下端）に湾曲部２３１が繋がっている。湾曲部２３１は、平坦部２３０の後端から上方へ突出するように湾曲している。ただし、湾曲部２３１の前半部分は平坦部２３０から離れるにつれて緩やかに湾曲し、湾曲部２３１の後半部分は湾曲部２３１の頂点から下方に向かって急激に湾曲している（図２Ａ参照）。３つの第１取付部２３２は、平坦部２３０の前端（図３における上端）と、平坦部２３０の右端（図３における左端）と、湾曲部２３１の後端（図３における下端）とに１つずつ設けられている。また、湾曲部２３１は、矩形の通気孔２３１０を有している。
【００２５】
第１取付部２３２は、取付ばね２６を取り付けるための部位である。３つの第１取付部２３２はほぼ同一の構成を有している。第１取付部２３２は、第１支持部２３３と、第２支持部２３４とを有している。第１支持部２３３は、幅細の板状に形成されている（図３参照）。第１支持部２３３は、取付ばね２６のコイル部２６０に挿通されてコイル部２６０の軸回りに回転可能にコイル部２６０を支持することが可能である（図３参照）。第２支持部２３４は平板状に形成され、平坦部２３０の端縁から下向きに突出している。第２支持部２３４は、厚み方向に貫通する孔２３４０を有している（図２Ａ参照）。この孔２３４０は、取付ばね２６の端末部２６３が挿通可能な大きさに形成されている。第２支持部２３４は、孔２３４０に挿通される端末部２６３を支持することが可能である。
【００２６】
第２取付部２３５は、平坦部２３０の一部分が切り起こされて構成されている。第２取付部２３５は、機能ユニット２５のハウジング２５０に引っ掛けられることで機能ユニット２５を支持するように構成されている（図２Ａ及び図３参照）。
【００２７】
ユニットカバー２３は、平坦部２３０の右端の第１取付部２３２に取付ばね２６が取り付けられ、かつ、第２取付部２３５に機能ユニット２５が取り付けられた状態で取付部材２２の取付板２２０に固定される。機能ユニット２５は、取付板２２０に直接的に取り付けられてはおらず、ユニットカバー２３により間接的に取付板２２０に取り付けられている。そのため、光源（ＬＥＤモジュール２０）での発熱によって取付板２２０の温度が上昇しても、機能ユニット２５はこのような温度の上昇の影響を受けにくい。したがって、光源（２つのＬＥＤモジュール２０）で発生した熱の点灯回路（機能ユニット２５）への影響を低減できる。
【００２８】
ここで、取付板２２０の上面には複数のねじ止め部が設けられている。各ねじ止め部は、取付板２２０の上面から上向きに突出した円錐台形状の突起と、突起の上面に設けられためねじとを有している。ユニットカバー２３は、複数のねじ止め部の上に載せられた状態でユニットカバー２３に設けられた複数のねじ挿通孔に各別に挿通された複数の固定ねじ２２７がねじ止め部のめねじにねじ込まれることによって取付部材２２に固定される（図３参照）。ただし、取付部材２２の取付板２２０とユニットカバー２３の平坦部２３０との間には、各ねじ止め部の高さ寸法に等しい空間が形成される。この空間には、第１端子台１４と電源ユニット２４との間の電路となる電源線や機能ユニット２５と電源ユニット２４との間の電路となる信号線などが収容される。つまり、ユニットカバー２３は、これらの電源線や信号線を上から覆うことにより、吊りボルトなどから電源線や信号線を保護する機能を有している。なお、ユニットカバー２３は取付部材２２を上から覆っているが、通気孔２３１０を通してＬＥＤモジュール２０の温度上昇に伴って取付部材２２の発する熱を湾曲部２３１の外（上）に逃がすことができる。
【００２９】
突出板２７は、取付板２２０から取付板２２０の厚み方向に交差する方向（図３の右方向）へ突出する。本実施形態では、突出板２７は、取付板２２０から取付板２２０の厚み方向に直交する方向へ突出する。より詳細には、突出板２７は、一部分を取付部材２２の左端縁から取付部材２２の外に突出させている。この突出板２７は、光源ユニット２を器具本体１０に取り付けるための引掛部材としても用いられる。突出板２７は、平板部２７０と、係止部２７１とを有している。ただし、平板部２７０と係止部２７１とは亜鉛鋼板などの金属板によって一体に形成されている。平板部２７０は、概ね矩形に形成されている。平板部２７０は、前後方向において、取付板２２０の一辺のほぼ全体に亘るように延びている。係止部２７１は、平板部２７０の４つの辺のうちの１つの辺（図３における右辺）から下向きに突出している。係止部２７１の長手方向の長さ寸法は、係止部２７１の長手方向に沿った平板部２７０の長手方向の長さ寸法よりも大きい。つまり、係止部２７１は、突出板２７において平板部２７０よりも幅が広い部分（幅広部）である。このような、係止部２７１は、その長手方向の両端に、平板部２７０の長手方向の両端の外に突出する突部２７２を有している。
【００３０】
突出板２７は、平板部２７０の短手方向（図３における左右方向）におけるおおよそ半分の部分が取付部材２２の取付板２２０の上面に取り付けられる。なお、平板部２７０は、取付板２２０とユニットカバー２３の平坦部２３０との間に挟まれるようにして取付板２２０に固定される（図２Ａ及び図３参照）。
【００３１】
図３に示すように、平板部２７０の短手方向における残り半分の部分には電源ユニット２４が取り付けられる。電源ユニット２４は、突出板２７の平板部２７０の上面における左端に、ケース２４０の長手方向を前後方向に一致させるようにして平板部２７０にねじ止めされている。また、電源ユニット２４は、図３に示すように、取付板２２０の厚み方向に直交する平面内において、突出板２７において取付板２２０とは反対側（図３の右側）に突出していない。これによって、電源ユニット２４が邪魔になる可能性を低減できる。特に、突出板２７を利用して光源ユニット２を器具本体１０に取り付ける際に電源ユニット２４が邪魔になる可能性を低減できる。
【００３２】
このように、点灯回路の一部である電源ユニット２４は、取付板２２０ではなく、突出板２７に取り付けられている。そのため、２つのＬＥＤモジュール２０での発熱によって取付板２２０の温度が上昇しても、電源ユニット２４はこのような温度の上昇の影響を受けにくい。したがって、光源（２つのＬＥＤモジュール２０）で発生した熱の点灯回路（電源ユニット２４）への影響を低減できる。
【００３３】
また、取付板２２０と突出板２７は別体であり、突出板２７は取付板２２０に固定される。そのため、取付板２２０と突出板２７が一体である場合に比べれば、取付板２２０から突出板２７への熱の伝達を抑制でき、光源（２つのＬＥＤモジュール２０）で発生した熱の点灯回路（電源ユニット２４）への影響を低減できる。
【００３４】
また、２つのＬＥＤモジュール２０は取付板２２０の下面側にあり、電源ユニット２４は突出板２７の平板部２７０の上面側にある。つまり、光源（２つのＬＥＤモジュール２０）と点灯回路の少なくとも一部（電源ユニット２４）とは取付板２２０に対して互いに反対側に位置する。そのため、光源（ＬＥＤモジュール２０）と点灯回路（電源ユニット２４及び機能ユニット２５）とが取付板２２０に対して同じ側にある場合に比べて、光源（ＬＥＤモジュール２０）で発生した熱の点灯回路（電源ユニット２４）への影響を低減できる。
【００３５】
また、２つのＬＥＤモジュール２０は、取付板２２０の厚み方向に直交する平面内において、取付板２２０の内側に位置している（図４参照）。つまり、２つのＬＥＤモジュール２０は、取付板２２０の厚み方向において、電源ユニット２４とは対向していない。そのため、２つのＬＥＤモジュール２０で発生した熱が電源ユニット２４に伝わることを更に抑制できる。つまり、光源（２つのＬＥＤモジュール２０）で発生した熱の点灯回路（電源ユニット２４）への影響を更に低減できる。
【００３６】
器具本体１０は、図５Ａ及び図５Ｂに示すように、箱状であり、一面（下面）に、凹部１８を有している。凹部１８は、光源ユニット２を光源（２つのＬＥＤモジュール２０）が露出するように収容する（図１参照）。
【００３７】
器具本体１０は、図５Ａ及び図５Ｂに示すように、造営材（天井）に取り付けられる本体部１１と、本体部１１に着脱可能に結合されて本体部１１を覆う本体カバー１２とを有している。ただし、以下の説明では、特に断りのない限り、図５Ａ及び図５Ｂにおける上下方向、前後方向及び左右方向を器具本体１０の上下方向、前後方向及び左右方向と規定する。
【００３８】
本体部１１は、亜鉛鋼板などの金属材料により、下面が開放された浅い箱状に形成されている。なお、上下方向から見た本体部１１の外形は正方形である。本体部１１の底面の中央に円形の電源孔１１０が設けられている。図６に示すように、本体部１１の底面における電源孔１１０の近傍に第１端子台１４と第２端子台１５が配置されている。第１端子台１４は電源孔１１０に挿通される電源ケーブル１６と電気的に接続される。また第２端子台１５は電源孔１１０に挿通される信号ケーブルと電気的に接続される。さらに第１端子台１４から引き出された電源線１４０の先端にプラグコネクタ１７が取り付けられている。なお、第２端子台１５からは信号線１５０が引き出されている。
【００３９】
本体部１１の底面には複数のボルト挿通孔１１１も設けられている（図５Ａ参照）。これら複数のボルト挿通孔１１１は、長軸の方向を本体部１１の前後方向に一致させた長円形に形成されている。本体部１１は、これら複数のボルト挿通孔１１１のうちの少なくとも２つのボルト挿通孔１１１に挿通される吊りボルトにナットが締め付けられることによって天井に取り付けられる。
【００４０】
更に、図６に示すように、本体部１１の底面には４つの引掛ばね１３が設けられている。各引掛ばね１３は、コイル部１３０と２本の腕部とを有するねじりコイルばねで構成されている。２本の腕部のうちで長い方の腕部を第１腕部１３１と呼び、短い方の腕部を第２腕部１３２と呼ぶ。第１腕部１３１の先端は鉤形に曲げられている（図５Ｂ参照）。
【００４１】
各引掛ばね１３は、金具１３３によって本体部１１に取り付けられている（図５Ｂ参照）。金具１３３は、引掛ばね１３のコイル部１３０を、コイル部１３０の軸回りに回転可能かつコイル部１３０の軸方向に移動可能に支持するように構成されている。
【００４２】
４つの引掛ばね１３のうちの２つの引掛ばね１３は、本体部１１の底面において電源孔１１０の前方に左右方向に並べて取り付けられている。また、４つの引掛ばね１３のうちの残り２つの引掛ばね１３は、本体部１１の底面において電源孔１１０の後方に左右方向に並べて取り付けられている（図６参照）。ただし、左右方向に並ぶ２つの引掛ばね１３は、各々の第２腕部１３２同士を隣り合わせるように配置されている。
【００４３】
本体カバー１２は、亜鉛鋼板などの金属材料により、上下方向から見た形状が正方形である開口部１２０を有する枠状に形成されている。開口部１２０は、光源ユニット２の光源（２つのＬＥＤモジュール２０）を外部に露出させるために設けられている。なお、本体カバー１２における開口部１２０の外側の部分（第１部分１２１）が開口部１２０を底面（上底）とする正四角錐台の錐体面となる形状に形成されている。さらに、本体カバー１２における第１部分１２１の外側の部分（第２部分１２２）が第１部分１２１の周縁を底面（上底）の四辺とする正四角錐台の錐体面となる形状に形成されている。本体カバー１２において、第１部分１２１及び第２部分１２２の下面は白色の塗料で塗装されている。
【００４４】
本体カバー１２は、図５Ｂ、図６、図７及び図１０に示すように、開口部１２０の４つの縁のそれぞれから上向き（本体部１１に近付く向き）に突出する突壁（第１〜第４の突壁１２３〜１２６）を有している。すなわち、第１の突壁１２３は開口部１２０の前方の縁から突出し、第３の突壁１２５は開口部１２０の後方の縁から突出し、第２の突壁１２４は開口部１２０の右方の縁から突出し、第４の突壁１２６は開口部１２０の左方の縁から突出している。つまり、第１の突壁１２３と第３の突壁１２５が開口部１２０を挟んで前後方向に対向し、第２の突壁１２４と第４の突壁１２６が開口部１２０を挟んで左右方向に対向している。第１〜第４の突壁１２３〜１２６は、それぞれ矩形の板状であり、開口部１２０を囲んでいる。器具本体１０では、本体部１１の底面と、本体カバー１２の開口部１２０と、第１〜第４の突壁１２３〜１２６とによって、凹部１８が構成される。
【００４５】
第１の突壁１２３及び第３の突壁１２５のそれぞれに２つの引掛部（ばね引掛部）１２８が設けられている（図５Ｂ及び図１０参照）。第１の突壁１２３において、２つの引掛部１２８は、第１の突壁１２３の長手方向（左右方向）の両側に位置している。第３の突壁１２５において、２つの引掛部１２８は、第３の突壁１２５の長手方向（左右方向）の両側に位置している。本体カバー１２は、本体部１１が有する４つの引掛ばね１３の第１腕部１３１が各引掛ばね１３に対応する引掛部１２８に引っ掛けられることにより、各引掛ばね１３のばね力によって本体部１１と結合される（図５Ｂ及び図６参照）。
【００４６】
また、第２の突壁１２４の長手方向（前後方向）の中央に引掛部（支持部）１２７が設けられている（図７参照）。引掛部１２７は、図７に示すように、第２の突壁１２４を厚み方向（左右方向）に貫通する逆Ｕ字状の貫通孔（第２取付孔）１２７１を有している。第２取付孔１２７１は、光源ユニット２の取付ばね２６を通すことができるように形成されている。
【００４７】
第４の突壁１２６の上下方向の寸法は、第１〜第３の突壁１２３〜１２５の上下方向の寸法よりも小さい（図７及び図１０参照）。これによって、本体部１１の底面と第４の突壁１２６との間に隙間１９が形成されている（図７参照）。隙間１９は、前後方向の寸法が、突出板２７の係止部２７１よりも大きい。また、隙間１９は、上下方向の寸法が、電源ユニット２４よりも大きい。つまり、隙間１９は、突出板２７の係止部２７１及び平板部２７０を電源ユニット２４と共に通すことができる大きさである。
【００４８】
また、第４の突壁１２６は、その長手方向の両側の端部１２６０の高さ寸法よりも、両側の端部１２６０を除く部分（引掛部１２９）の高さ寸法が小さくなるように形成されている。なお、引掛部１２９の長手方向の両端に、下向きに凹んだ凹部１２９０がそれぞれ設けられている（図７参照）。第４の突壁１２６の両方の端部１２６０間の空間が第１取付孔１２６１となる。第１取付孔１２６１は、光源ユニット２の突出板２７の少なくとも一部を通すように形成されている。ただし、第１取付孔１２６１は、前後方向の寸法が、突出板２７の平板部２７０よりも大きいが、係止部２７１よりも小さい。つまり、平板部２７０は第１取付孔１２６１を通れる大きさであるが、係止部２７１は第１取付孔１２６１を通れない大きさである。したがって、平板部２７０を第１取付孔１２６１内に配置した際には、突出板２７が第１取付孔１２６１から抜けることが係止部２７１によって抑制される。
【００４９】
器具本体１０では、第２の突壁１２４及び第４の突壁１２６が、凹部１８を挟んで対向する一対の側壁を構成している。そして、第２の突壁１２４（一対の側壁の一方）は取付ばね２６を通す第２取付孔１２７１を有し、第４の突壁１２６（一対の側壁の他方）は突出板２７を通す第１取付孔１２６１を有している。
【００５０】
１．３  施工作業
次に、照明器具１を天井に施工する作業の一例について説明する。まず、施工作業を行う作業者は、本体部１１の電源孔１１０に電源ケーブル１６および信号ケーブルを挿通した後、ボルト挿通孔１１１に挿通した吊りボルトにナットを締め付けることで本体部１１を天井に取り付ける。また、作業者は、電源孔１１０から引き込んだ電源ケーブル１６を第１端子台１４に結線するとともに電源孔１１０から引き込んだ信号ケーブルを第２端子第１５に結線する。
【００５１】
続いて作業者は、本体部１１に本体カバー１２を取り付ける。作業者は、本体部１１の４つの引掛ばね１３のうちの１つの引掛ばね１３の第１腕部１３１を下に引張り、本体カバー１２の４つの引掛部１２８のうちの対応する１つに第１腕部１３１の先端を引っ掛ける。作業者は、残り３つの引掛ばね１３の第１腕部１３１の先端をそれぞれ対応する引掛部１２８に１つずつ順番に引っ掛ける。それから、作業者は、本体カバー１２を本体部１１に近付けるように上に持ち上げる。各引掛ばね１３の第１腕部１３１は、各引掛部１２８に引っ掛かったままで上向きに変位（回転）する。そして、本体部１１の下端縁が本体カバー１２の第１部分１２１の上面に当たると、４つの引掛部１２８に引っ掛けられた４つの引掛ばね１３のばね力によって本体部１１と本体カバー１２との結合状態が維持される（図５Ｂ参照）。
【００５２】
上述のような手順で器具本体１０が天井に取り付けられる。続いて、器具本体１０に光源ユニット２を取り付ける手順を説明する。
【００５３】
作業者は、図９に示すように、開口部１２０から第４の突壁１２６と本体部１１の底面との間の隙間１９に突出板２７の係止部２７１を挿入した後、第４の突壁１２６の両側の端部１２６０に係止部２７１の両側の突部２７２を引っ掛ける。これによって、突出板２７の平板部２７０を第１取付孔１２６１に通す。上述したように、第１取付孔１２６１は、前後方向の寸法が、突出板２７の平板部２７０よりも大きいが、係止部２７１よりも小さい。そのため、突出板２７は、第１取付孔１２６１から抜け難くなっている。ここで、突出板２７には電源ユニット２４が取り付けられている。しかし、電源ユニット２４は、取付板２２０の厚み方向に直交する平面内において、突出板２７において取付板２２０とは反対側に突出していない。そのため、突出板２７を第１取付孔１２６１に通す際に電源ユニット２４が邪魔になり難い。なお、図９では、単に図面の簡略化のためだけに、器具本体１０の構成要素を一部省略している。
【００５４】
その結果、図８に示すように、光源ユニット２を器具本体１０に仮吊りすることができる。作業者は、光源ユニット２を器具本体１０に仮吊りさせた状態で第１端子台１４の電源線１４０及び第２端子台１５の信号線１５０と電源ユニット２４の結線作業を行う。結線作業の完了後、作業者は、第２の突壁１２４に設けられた引掛部１２７の貫通孔（第２取付孔）１２７１に取付ばね２６の第１腕部２６１を挿入した後、光源ユニット２を持ち上げて本体カバー１２の開口部１２０内に収める。光源ユニット２が開口部１２０内に収められると、取付ばね２６の第１腕部２６１が第２の突壁１２４の引掛部１２７に引っ掛かる。また、突出板２７の係止部２７１が開口部１２０から離れる向きに移動し、第４の突壁１２６に設けられた引掛部１２９に突出板２７が引っ掛けられる（図１０参照）。つまり、取付ばね２６が引掛部１２７で支持され、突出板２７が引掛部１２９で支持される。その結果、光源ユニット２は、１つの取付ばね２６と突出板２７とによって器具本体１０（本体カバー１２）に支持される。
【００５５】
このように、器具本体１０は、光源ユニット２の突出板２７及び取付ばね２６が第１取付孔１２６１及び第２取付孔１２７１にそれぞれ挿通された状態で光源ユニット２を支持する。そのため、光源ユニット２が器具本体１０に安定的に支持される。また、突出板２７は、図１１に示すように、凹部１８内ではなく、器具本体１０の本体部１１と本体カバー１２の第１部分１２１及び第２部分１２２とで囲まれた空間内（つまり、器具本体１０内）に位置する。これによって、突出板２７に配置されている電源ユニット２４は、凹部１８内ではなく器具本体１０内に収容される。これによって、光源（ＬＥＤモジュール２０）で発生した熱により熱せられた空気から電源ユニット２４を保護でき、光源（ＬＥＤモジュール２０）で発生した熱の点灯回路への影響を更に低減できる。
【００５６】
以上のような手順で照明器具１の施工作業が完了する。
【００５７】
ここで、本体部１１と本体カバー１２を結合した器具本体１０に比べて、本体部１１及び本体カバー１２の方が軽量である。そのため、上述のように、本体部１１と本体カバー１２が別々に施工可能であれば、施工の手順は増えるものの作業者の作業負担の軽減を図ることができる。さらに、天井に取り付けられた器具本体１０に対して光源ユニット２が取り付けられる。その結果、照明器具１は、施工作業の作業性の向上を図ることが可能である。
【００５８】
さらに、光源ユニット２が本体カバー１２に取り付けられるので、光源ユニット２が本体部１１に取り付けられる場合と比較して、本体カバー１２と光源ユニット２との位置関係のばらつきの抑制を図ることができる。その結果、照明器具１は、本体カバー１２と光源ユニット２との位置関係のばらつきに起因した外観品質低下の抑制を図ることができる。
【００５９】
２．変形例
以上説明した実施形態は、本発明の様々な実施形態の一つに過ぎない。また、上記実施形態は、本発明の目的を達成できれば、設計等に応じて種々の変更が可能である。以下に、上記実施形態の変形例を列挙する。
【００６０】
また、照明器具１は、天井以外の造営材（例えば、壁など）に直付けされる照明器具、あるいは、造営材（例えば、天井又は壁）に埋め込まれる埋込型の照明器具であってもよい。
【００６１】
また、光源ユニット２は、必ずしも、透光カバー２１及びユニットカバー２３を備えていなくてもよい。
【００６２】
また、ＬＥＤモジュール２０の数は特に限定されず、光源も、ＬＥＤを利用した光源でなくてもよい。
【００６３】
また、点灯回路は、少なくとも光源を点灯させる機能を有する回路であればよく、光源の明るさを調節する機能は任意の機能である。また、点灯回路は、任意の機能として、特定のイベント時（例えば人体の検知時や、周囲が暗くなったとき）に光源を点灯又は消灯させる機能などを有していてもよい。
【００６４】
また、上記実施形態では、電源ユニット２４が突出板２７に取り付けられているが、機能ユニット２５が突出板２７に取り付けられてもよい。要するに、点灯回路において熱から保護したい部分を突出板２７に取り付ければよい。熱から保護したい部分としては、電源ユニット２４及び機能ユニット２５に加えて、センサ、端子台、通信ユニット、スイッチ、電池などが挙げられる。センサの例としては、人感センサ及び明るさセンサが挙げられる。センサは、上述したような特定のイベントを検知するために使用され得る。端子台は、例えば、点灯回路を構成する装置やユニット間の接続や、外部装置との接続に使用され得る。通信ユニットの例としては、無線通信ユニット、赤外線通信ユニット、及び光通信ユニットが挙げられる。通信ユニットは、点灯回路と外部装置との通信に用いられ得る。これによって、点灯回路の遠隔制御等が可能になる。スイッチの例としては、電磁リレー及び半導体スイッチング素子が挙げられる。スイッチは、例えば、ＬＥＤモジュール２０の点灯、消灯、調光に使用され得る。電池は、一次電池と二次電池とのいずれであってもよい。電池は、例えば、停電時等の非常時でも点灯回路を動作可能とするために使用され得る。
【００６５】
あるいは、電源ユニット２４及び機能ユニット２５の両方が突出板２７に取り付けられてもよい。つまり、点灯回路の一部ではなく、点灯回路の全てが突出板２７に取り付けられていてもよい。
【００６６】
また、上記実施形態では、電源ユニット２４が突出板２７の平板部２７０の上面に配置され、これによって、ＬＥＤモジュール２０と電源ユニット２４とは取付板２２０に対して互いに反対側に位置している。しかしながら、電源ユニット２４は、平板部２７０の下面側に配置されていてもよい。つまり、光源（ＬＥＤモジュール２０）と点灯回路の少なくとも一部（電源ユニット２４）とは取付板２２０に対して同じ側に位置してもよい。
【００６７】
また、取付部材２２は、必ずしも４つの側板２２１を備えている必要はない。取付板２２０は、必ずしも正方形である必要はなく、長方形、円形、多角形などの他の形状であってもよい。
【００６８】
また、光源ユニット２は、取付ばね２６とは異なる形状の取付具を有していてもよい。取付具は、例えば、取付板２２０から突出板２７とは反対の方向へ突出する突起であってもよい。
【００６９】
また、突出板２７は、必ずしも係止部２７１を備えている必要はない。平板部２７０は、点灯回路の少なくとも一部を支持できるような大きさ、形状であればよく、特にその形状は限定されない。また、突出板２７は、取付板２２０と一体に形成されていてもよい。
【００７０】
また、器具本体１０において、本体部１１及び本体カバー１２の形状は、上記実施形態の形状に限定されない。例えば、上記実施形態の本体部１１及び本体カバー１２は上下方向から見た外形が正方形であるが、円形であってもよいし、矩形などの多角形であってもよい。特に、本体カバー１２の形状は上述したような２つの錐体面を組み合わせた形状に限定されない。例えば、本体カバー１２は平板状であってもかまわない。また、本体カバー１２において、第１の突壁１２３及び第３の突壁１２５は必須ではない。また、本体カバー１２において、第１部分１２１及び第２部分１２２の下面は白色の塗料で塗装されていなくてもよい。
【００７１】
また、本体部１１と本体カバー１２とは必ずしも引掛ばね１３を利用して結合されていなくてもよい。例えば、引掛ばね１３の代わりにねじを用いてもよい。あるいは、本体部１１と本体カバー１２とは一体に形成されていてもよい。
【００７２】
３．態様
以上述べた実施形態及び変形例から明らかなように、第１の態様の光源ユニット（２）は、光源（２０）と、前記光源（２０）を点灯させる点灯回路（２４、２５）と、取付板（２２０）と、突出板（２７）と、を備える。前記取付板（２２０）は、厚み方向の一面に前記光源（２０）が取り付けられる。前記突出板（２７）は、前記取付板（２２０）から前記取付板（２２０）の厚み方向に交差する方向へ突出する。前記点灯回路（２４、２５）の少なくとも一部は、前記突出板（２７）に取り付けられる。第１の態様によれば、光源（２０）で発生した熱の点灯回路（２４、２５）への影響を低減できる。
【００７３】
第２の態様の光源ユニット（２）は、第１の態様との組み合わせにより実現され得る。第２の態様では、前記光源（２０）と前記点灯回路（２４、２５）の前記少なくとも一部とは前記取付板（２２０）に対して互いに反対側に位置する。第２の態様によれば、光源（２０）と点灯回路（２４、２５）とが取付板（２２０）に対して同じ側にある場合に比べて、光源（２０）で発生した熱の点灯回路（２４、２５）への影響を低減できる。
【００７４】
第３の態様の光源ユニット（２）は、第１又は第２の態様との組み合わせにより実現され得る。第３の態様では、前記取付板（２２０）と前記突出板（２７）は別体であり、前記突出板（２７）は前記取付板（２２０）に固定される。第３の態様によれば、取付板（２２０）と突出板（２７）が一体である場合に比べれば、取付板（２２０）から突出板（２７）への熱の伝達を抑制でき、光源（２０）で発生した熱の点灯回路（２４、２５）への影響を低減できる。第３の態様においては、更に、前記突出板（２７）は、前記取付板（２２０）における前記厚み方向の一面とは反対側の面に固定されることが好ましい。この場合、取付板（２２０）から突出板（２７）への熱の伝達を更に抑制できる。
【００７５】
第４の態様の光源ユニット（２）は、第１〜第３の態様のいずれか一つとの組み合わせにより実現され得る。第４の態様では、前記点灯回路（２４、２５）の前記少なくとも一部は、前記光源（２０）に電力を供給する電源ユニット（２４）である。第４の態様によれば、光源（２０）で発生した熱の点灯回路（２４、２５）への影響を更に低減できる。
【００７６】
第５の態様の光源ユニット（２）は、第１〜第４の態様のいずれか一つとの組み合わせにより実現され得る。第５の態様では、前記点灯回路（２４、２５）の前記少なくとも一部は、前記取付板（２２０）の前記厚み方向に直交する平面内において、前記突出板（２７）において前記取付板（２２０）とは反対側に突出しない。第５の態様によれば、点灯回路の少なくとも一部が邪魔になる可能性を低減できる。
【００７７】
第６の態様の光源ユニット（２）は、第１〜第５の態様のいずれか一つとの組み合わせにより実現され得る。第６の態様では、前記光源（２０）は、前記取付板（２２０）の前記厚み方向に直交する平面内において、前記取付板（２２０）の内側に位置する。第６の態様によれば、光源（２０）で発生した熱が点灯回路の少なくとも一部に伝わることを更に抑制できる。したがって、光源（２０）で発生した熱の点灯回路（２４、２５）への影響を更に低減できる。
【００７８】
第７の態様の照明器具（１）は、第１〜第６の態様のいずれか一つの光源ユニット（２）と、前記光源ユニット（２）を支持する器具本体（１０）と、を備える。第７の態様によれば、光源（２０）で発生した熱の点灯回路（電源ユニット２４、機能ユニット２５）への影響を低減できる。
【００７９】
第８の態様の照明器具（１）は、第７の態様との組み合わせにより実現され得る。第８の態様では、前記光源ユニット（２）は、更に、前記取付板（２２０）から前記突出板（２７）とは反対の方向へ突出する取付具（２６）を備える。前記器具本体（１０）は、前記光源ユニット（２）を前記光源（２０）が露出するように収容する凹部（１８）と、前記凹部（１８）を挟んで対向する一対の側壁（１２４，１２６）と、を有する。前記一対の側壁（１２４，１２６）の一方は前記突出板（２７）の少なくとも一部を通す第１取付孔（１２６１）を有し、他方は前記取付具（２６）を通す第２取付孔（１２７１）を有する。前記器具本体（１０）は、前記光源ユニット（２）の前記突出板（２７）及び前記取付具（２６）が前記第１取付孔（１２６１）及び前記第２取付孔（１２７１）にそれぞれ挿通された状態で前記光源ユニット（２）を支持する。第８の態様によれば、光源ユニット（２）が器具本体（１０）に安定的に支持される。
【００８０】
第９の態様の照明器具（１）は、第８の態様との組み合わせにより実現され得る。第９の態様では、前記突出板（２７）は、平板部（２７０）と、係止部（２７１）と、を有する。前記平板部（２７０）は、前記点灯回路（電源ユニット２４、機能ユニット２５）の前記少なくとも一部が取り付けられ前記第１取付孔（１２６１）を通れる大きさである。前記係止部（２７１）は、前記平板部（２７０）における前記取付板（２２０）とは反対側の端に設けられ前記第１取付孔（１２６１）を通れない大きさである。第９の態様によれば、突出板（２７）が第１取付孔（１２６１）から抜けることが係止部（２７１）によって抑制される。そのため、突出板（２７）によって光源ユニット（２）を器具本体（１０）に仮吊りすることができる。
【００８１】
第１０の態様の照明器具（１）は、第８又は第９の態様との組み合わせにより実現され得る。第１０の態様では、前記器具本体（１０）は、箱状であり、一面に前記凹部（１８）を有する。前記点灯回路（電源ユニット２４、機能ユニット２５）の前記少なくとも一部は前記突出板（２７）が前記第１取付孔（１２６１）に挿通された状態で前記器具本体（１０）内に収容される。第１０の態様によれば、光源（２０）で発生した熱により熱せられた空気から点灯回路（２４、２５）を保護でき、光源（２０）で発生した熱の点灯回路（２４、２５）への影響を更に低減できる。
【符号の説明】
【００８２】
１  照明器具
１０  器具本体
１８  凹部
１２４  第２の突壁（側壁）
１２６  第４の突壁（側壁）
１２６１  第１取付孔
１２７１  第２取付孔
２  光源ユニット
２０  光源
２４  電源ユニット（点灯回路）
２５  機能ユニット（点灯回路）
２６  取付具（取付ばね）
２７  突出板（引掛部材）
２２０  取付板
２７０  平板部
２７１  係止部（幅広部）
【図１】
2018206681.tif 000003
【図２】
2018206681.tif 000004
【図３】
2018206681.tif 000005
【図４】
2018206681.tif 000006
【図５】
2018206681.tif 000007
【図６】
2018206681.tif 000008
【図７】
2018206681.tif 000009
【図８】
2018206681.tif 000010
【図９】
2018206681.tif 000011
【図１０】
2018206681.tif 000012
【図１１】
2018206681.tif 000013